(57)【要約】      （修正有）【課題】下着の内側に装着しておき、袋内に確実に陰茎を挿入し易く、さらに、常に袋の口が開口している男性用尿漏れパッドを提供する。【解決手段】吸水機能を有するパッド本体１を透水性シート２で被覆し、被覆されたパッド本体の一方を長く、他方を短くなるよう二つ折りに形成し、折られた長辺は、下着の内側に位置し、短片は、陰茎側に位置し、長辺側を高く、短辺側を低くなるよう段違いに形成し、且つ、長辺と短辺とで袋３状に形成した男性用尿漏れパッドにおいて、短辺側の上部縁３ａを、長辺側の上部縁３ｂに較べて低く形成し、短辺側の上部縁付近に、可撓性を有する金属線４を設けた。【選択図】図１
0003219354.tif 000002
【実用新案登録請求の範囲】
【請求項１】
吸水機能を有するパッド本体（１）を透水性シート（２）で被覆し、この被覆されたパッド本体（１）の一方を長く、他方を短くなるよう二つ折りに形成し、折られた長辺（１ａ）は、下着（Ｘ）の内側に位置し、短片（１ｂ）は、陰茎（Ｙ）側に位置し、長辺（１ａ）側を高く、短辺（１ｂ）側を低くなるよう段違いに形成し、且つ、長辺（１ａ）と短辺（１ｂ）とで袋（３）状に形成した男性用尿漏れパッドにおいて、
前記短辺（２ｂ）側の上部縁（３ａ）を、前記長辺（２ａ）側の上部縁（３ｂ）に較べて低く形成し、
前記短辺側の上部縁（３ａ）付近に、可撓性を有する金属線（４）を設けた
ことを特徴とする男性用尿漏れパッド。
【請求項２】
前記短辺（１ｂ）側の上部縁（３ａ）は、前記長辺（１ａ）側の上部縁（３ｂ）の高さの２／３以下、１／２以上の高さに設けた
ことを特徴とする請求項１記載の男性用尿漏れパッド。
【請求項３】
前記金属線（４）は、短辺側の上部縁（３ａ）のパッド本体（１）か、あるいは透水性シート（２）内に、該短辺側の上部縁（３ａ）と平行に設けた
ことを特徴とする請求項１記載の男性用尿漏れパッド。
【請求項４】
パッド本体（１）の形状は、正面視で、下部が狭く上部に行くに従って広くなる逆台形状に設けた
ことを特徴とする請求項１記載の男性用尿漏れパッド。
【考案の詳細な説明】
【技術分野】
【０００１】
この考案は男性用尿漏れパッドに関する。  
【背景技術】
【０００２】
従来、男性用尿漏れ防止パッドは、尿意を催した際、トイレにおいて排尿行為をする意思を失った人や、怪我等により身動きの出来ない状態にいる人達が下着の内側に装着して使用している。
【０００３】
しかしながら、この男性用尿漏れパッドは、排尿の量等により種々存在しており、シート状や、筒状のパッドが存在している。
【０００４】
男性用は、男性性器の構造上、筒状に形成した尿漏れパッドが優れており、販売もされている。しかし、この尿漏れパッドは、扁平状の筒体であり、しかも、陰茎を挿入する側の上縁部が高く入れ難いという欠点があった。
【０００５】
その他、従来例としては、以下の尿漏れパッドが開示されている。例えば、特許文献１、特許文献２、特許文献３のように。
【先行技術文献】
【特許文献】
【０００６】
【特許文献１】実開平６−１７７１７号公報
【特許文献２】特開平８−５２１６９号公報
【特許文献３】実用新案登録第３１２５６７４号公報
【０００７】
しかし、特許文献１に示された「男性用尿漏れ防止帯」は、下着の上縁部に長くて可撓性を有する帯状シート材を設け、この帯を伝って袋状開口縁から袋状部のなかの尿吸収体に向け方尿するものであり、立って用をたす場合はできるが、横臥状で用をたす場合は問題があった。
【０００８】
また、特許文献２に示された「尿漏れ処理用パット」は、先端部を閉塞した筒状体であって、男性陰茎部の根元を挿入口で縛る構成であって、陰茎の表皮を圧迫するよう固定するものであり、方尿作業を阻害するものである。
【０００９】
さらに、特許文献３に示す「男性用尿漏れパッド」は、平板状のパッドであり、平面状に装着されるため少量の尿漏れに対しては有効であるが、大量の尿漏れるには対処できない。
【考案の開示】
【考案が解決しようとする課題】
【００１０】
上記課題を解決する為にこの考案は、下着の内側に装着しておき、袋内に確実に陰茎を挿入し易く、さらに、常に袋の口が開口している男性用尿漏れパッドを開発・提供することにある。
【課題を解決するための手段】
【００１１】
この男性用尿漏れパッドは、吸水機能を有するパッド本体を透水性シートで被覆し、この被覆されたパッド本体の一方を長く、他方を短くなるよう二つ折りに形成し、折られた長辺は、下着の内側に位置し、短片は、陰茎側に位置し、長辺側を高く、短辺側を低くなるよう段違いに形成し、且つ、長辺と短辺とで袋状に形成した男性用尿漏れパッドにおいて、前記短辺側の上部縁を、前記長辺側の上部縁に較べて低く形成し、該短辺側の上部縁付近に、可撓性を有する金属線を設けた
ことを特徴とする。
【００１２】
そして、前記短辺側の上部縁は、前記長辺側の上部縁の高さの２／３以下、１／２以上の高さに設けたことを特徴とする。
【００１３】
さらに、前記金属線は、短辺側の上部縁パッド本体か、あるいは透水性シート内に、該短辺側の上部縁と平行に設けたことを特徴とする。
【００１４】
また、パッド本体の形状は、正面視で、下部が狭く上部に行くに従って広くなる逆台形状に設けたことを特徴とする。
【考案の効果】
【００１５】
この考案によると、パッド本体を長辺・短辺の二つ折りにして袋に形成し、その短辺の方を陰茎側に設け、陰茎を袋内に挿入し易くし、袋の上部縁に可撓性を有する金属を設けて、袋の上部縁を外側に向けて突出するよう湾曲させて形成することにより常に袋は開いている状態となり、目視することなく陰茎を簡単に挿入することが可能であるとの優れた効果を奏するものである。
【図面の簡単な説明】
【００１６】
【図１】この考案の一実施例を示し、（Ａ）は、平面図であり、（Ｂ）は、正面図であり、（Ｃ）は、図（Ｂ）中ａ−ａ断面図である。
【図２】この考案の一実施例であり、（Ｄ）は、左側面図であり、（Ｅ）に図１中ｂ−ｂ断面図である。
【図３】この考案の使用状態の一実施例を示す説明図である。
【図４】この考案の使用状態の一実施例を示す拡大断面図である。
【考案を実施するための形態】
【００１７】
以下、この考案について詳細に説明する。尚、この考案においては、以下の記述に限定されるものではなく、この要旨を逸脱しない範囲においては適宜変更可能である。
【実施例】
【００１８】
そこで、この考案の一実施例を図１〜図３に基づいて説明すると、吸水機能を有するパッド本体（１）を透水性シート（２）で被覆し、この被覆されたパッド本体（１）の一方を長く、他方を短くなるよう二つ折りに形成し、折られた長辺（１ａ）は、下着（Ｘ）の内側に位置し、短片（１ｂ）は、陰茎（Ｙ）側に位置し、長辺（１ａ）側を高く、短辺（１ｂ）側を低くなるよう段違いに形成し、且つ、長辺（１ａ）と短辺（１ｂ）とで袋（３）状に形成した男性用尿漏れパッドにおいて、前記短辺（１ｂ）側の上部縁（３ａ）を、前記長辺（１ａ）側の上部縁（３ｂ）に較べて低く形成し、該短辺側の上部縁（３ａ）付近に、可撓性を有する金属線（４）を設けたことを特徴とする男性用尿漏れパッドから構成されるものである。
【００１９】
そして、前記短辺（１ｂ）側の上部縁（３ａ）は、前記長辺（１ａ）側の上部縁（３ｂ）の高さの２／３以下、１／２以上の高さに形成すればよい。
【００２０】
さらに、前記金属線（４）は、短辺側の上部縁（３ａ）のパッド本体（１）か、あるいは透水性シート（２）内に、該短辺側の上部縁（３ａ）と平行に設け、且つ、該金属線（４）を袋（３）の外部方向に向けて湾曲させておけば、袋（３）の口は常に開口された状態であり、手探りで陰茎（Ｙ）を袋（３）内に挿入することができるよう構成したものである。
【００２１】
また、パッド本体（１）の形状は、正面視で、下部が狭く上部に行くに従って広くなる逆台形状に設けることにより、人体の股部に添った形状となり、フィットするためスタイルもよい。
【００２２】
なお、貼着シール（５）は、紙片の片面に感圧性の接着剤が塗布されており、その上に剥離紙が設けられ、長辺（２ａ）の外側に設けており、使用時には、剥離紙を剥がし、パンツ等の下着に貼着するものである。
【産業上の利用可能性】
【００２３】
この考案の男性用尿漏れパッドの技術を確立し、実施することにより、産業上利用可能性があるものである。
【符号の説明】
【００２４】
１    パッド本体
２    透水性シート
２ａ  長辺
２ｂ  短辺
３    袋  
３ａ  短辺側の上部
３ｂ  長辺側の上部縁
４    金属線
５    貼着シール
Ｘ    下着
Ｙ    陰茎
【図１】
0003219354.tif 000003
【図２】
0003219354.tif 000004
【図３】
0003219354.tif 000005
【図４】
0003219354.tif 000006
【手続補正書】
【提出日】平成30年10月22日(2018.10.22)
【手続補正１】
【補正対象書類名】実用新案登録請求の範囲
【補正対象項目名】全文
【補正方法】変更
【補正の内容】
【実用新案登録請求の範囲】
【請求項１】
吸水機能を有するパッド本体（１）を透水性シート（２）で被覆し、この被覆されたパッド本体（１）の一方を長く、他方を短くなるよう二つ折りに形成し、折られた長辺（２ａ）は、下着（Ｘ）の内側に位置し、短辺（２ｂ）は、陰茎（Ｙ）側に位置し、長辺（２ａ）側を高く、短辺（２ｂ）側を低くなるよう段違いに形成し、且つ、長辺（２ａ）と短辺（２ｂ）とで袋（３）状に形成した男性用尿漏れパッドにおいて、
前記短辺（２ｂ）側の上部縁（３ａ）を、前記長辺（２ａ）側の上部縁（３ｂ）に較べて低く形成し、
前記短辺側の上部縁（３ａ）付近に、可撓性を有する金属線（４）を設けた
ことを特徴とする男性用尿漏れパッド。
【請求項２】
前記短辺（２ｂ）側の上部縁（３ａ）は、前記長辺（２ａ）側の上部縁（３ｂ）の高さの２／３以下、１／２以上の高さに設けた
ことを特徴とする請求項１記載の男性用尿漏れパッド。
【請求項３】
前記金属線（４）は、短辺側の上部縁（３ａ）のパッド本体（１）か、あるいは透水性シート（２）内に、該短辺側の上部縁（３ａ）と平行に設けた
ことを特徴とする請求項１記載の男性用尿漏れパッド。
【請求項４】
パッド本体（１）の形状は、正面視で、下部が狭く上部に行くに従って広くなる逆台形状に設けた
ことを特徴とする請求項１記載の男性用尿漏れパッド。
【手続補正２】
【補正対象書類名】明細書
【補正対象項目名】全文
【補正方法】変更
【補正の内容】
【考案の詳細な説明】
【技術分野】
【０００１】
この考案は男性用尿漏れパッドに関する。  
【背景技術】
【０００２】
従来、男性用尿漏れ防止パッドは、尿意を催した際、トイレにおいて排尿行為をする意思を失った人や、怪我等により身動きの出来ない状態にいる人達が下着の内側に装着して使用している。
【０００３】
しかしながら、この男性用尿漏れパッドは、排尿の量等により種々存在しており、シート状や、筒状のパッドが存在している。
【０００４】
男性用は、男性性器の構造上、筒状に形成した尿漏れパッドが優れており、販売もされている。しかし、この尿漏れパッドは、扁平状の筒体であり、しかも、陰茎を挿入する側の上縁部が高く入れ難いという欠点があった。
【０００５】
その他、従来例としては、以下の尿漏れパッドが開示されている。例えば、特許文献１、特許文献２、特許文献３のように。
【先行技術文献】
【特許文献】
【０００６】
【特許文献１】実開平６−１７７１７号公報
【特許文献２】特開平８−５２１６９号公報
【特許文献３】実用新案登録第３１２５６７４号公報
【０００７】
しかし、特許文献１に示された「男性用尿漏れ防止帯」は、下着の上縁部に長くて可撓性を有する帯状シート材を設け、この帯を伝って袋状開口縁から袋状部のなかの尿吸収体に向け方尿するものであり、立って用をたす場合はできるが、横臥状で用をたす場合は問題があった。
【０００８】
また、特許文献２に示された「尿漏れ処理用パット」は、先端部を閉塞した筒状体であって、男性陰茎部の根元を挿入口で縛る構成であって、陰茎の表皮を圧迫するよう固定するものであり、方尿作業を阻害するものである。
【０００９】
さらに、特許文献３に示す「男性用尿漏れパッド」は、平板状のパッドであり、平面状に装着されるため少量の尿漏れに対しては有効であるが、大量の尿漏れるには対処できない。
【考案の開示】
【考案が解決しようとする課題】
【００１０】
上記課題を解決する為にこの考案は、下着の内側に装着しておき、袋内に確実に陰茎を挿入し易く、さらに、常に袋の口が開口している男性用尿漏れパッドを開発・提供することにある。
【課題を解決するための手段】
【００１１】
この男性用尿漏れパッドは、吸水機能を有するパッド本体を透水性シートで被覆し、この被覆されたパッド本体の一方を長く、他方を短くなるよう二つ折りに形成し、折られた長辺は、下着の内側に位置し、短辺は、陰茎側に位置し、長辺側を高く、短辺側を低くなるよう段違いに形成し、且つ、長辺と短辺とで袋状に形成した男性用尿漏れパッドにおいて、前記短辺側の上部縁を、前記長辺側の上部縁に較べて低く形成し、該短辺側の上部縁付近に、可撓性を有する金属線を設けた
ことを特徴とする。
【００１２】
そして、前記短辺側の上部縁は、前記長辺側の上部縁の高さの２／３以下、１／２以上の高さに設けたことを特徴とする。
【００１３】
さらに、前記金属線は、短辺側の上部縁パッド本体か、あるいは透水性シート内に、該短辺側の上部縁と平行に設けたことを特徴とする。
【００１４】
また、パッド本体の形状は、正面視で、下部が狭く上部に行くに従って広くなる逆台形状に設けたことを特徴とする。
【考案の効果】
【００１５】
この考案によると、パッド本体を長辺・短辺の二つ折りにして袋に形成し、その短辺の方を陰茎側に設け、陰茎を袋内に挿入し易くし、袋の上部縁に可撓性を有する金属を設けて、袋の上部縁を外側に向けて突出するよう湾曲させて形成することにより常に袋は開いている状態となり、目視することなく陰茎を簡単に挿入することが可能であるとの優れた効果を奏するものである。
【図面の簡単な説明】
【００１６】
【図１】この考案の一実施例を示し、（Ａ）は、平面図であり、（Ｂ）は、正面図であり、（Ｃ）は、図（Ｂ）中ａ−ａ断面図である。
【図２】この考案の一実施例であり、（Ｄ）は、左側面図であり、（Ｅ）に図１中ｂ−ｂ断面図である。
【図３】この考案の使用状態の一実施例を示す説明図である。
【図４】この考案の使用状態の一実施例を示す拡大断面図である。
【考案を実施するための形態】
【００１７】
以下、この考案について詳細に説明する。尚、この考案においては、以下の記述に限定されるものではなく、この要旨を逸脱しない範囲においては適宜変更可能である。
【実施例】
【００１８】
そこで、この考案の一実施例を図１〜図３に基づいて説明すると、吸水機能を有するパッド本体（１）を透水性シート（２）で被覆し、この被覆されたパッド本体（１）の一方を長く、他方を短くなるよう二つ折りに形成し、折られた長辺（２ａ）は、下着（Ｘ）の内側に位置し、短辺（２ｂ）は、陰茎（Ｙ）側に位置し、長辺（２ａ）側を高く、短辺（２ｂ）側を低くなるよう段違いに形成し、且つ、長辺（２ａ）と短辺（２ｂ）とで袋（３）状に形成した男性用尿漏れパッドにおいて、前記短辺（２ｂ）側の上部縁（３ａ）を、前記長辺（２ａ）側の上部縁（３ｂ）に較べて低く形成し、該短辺側の上部縁（３ａ）付近に、可撓性を有する金属線（４）を設けたことを特徴とする男性用尿漏れパッドから構成されるものである。
【００１９】
そして、前記短辺（２ｂ）側の上部縁（３ａ）は、前記長辺（２ａ）側の上部縁（３ｂ）の高さの２／３以下、１／２以上の高さに形成すればよい。
【００２０】
さらに、前記金属線（４）は、短辺側の上部縁（３ａ）のパッド本体（１）か、あるいは透水性シート（２）内に、該短辺側の上部縁（３ａ）と平行に設け、且つ、該金属線（４）を袋（３）の外部方向に向けて湾曲させておけば、袋（３）の口は常に開口された状態であり、手探りで陰茎（Ｙ）を袋（３）内に挿入することができるよう構成したものである。
【００２１】
また、パッド本体（１）の形状は、正面視で、下部が狭く上部に行くに従って広くなる逆台形状に設けることにより、人体の股部に添った形状となり、フィットするためスタイルもよい。
【００２２】
なお、貼着シール（５）は、紙片の片面に感圧性の接着剤が塗布されており、その上に剥離紙が設けられ、長辺（２ａ）の外側に設けており、使用時には、剥離紙を剥がし、パンツ等の下着に貼着するものである。
【産業上の利用可能性】
【００２３】
この考案の男性用尿漏れパッドの技術を確立し、実施することにより、産業上利用可能性があるものである。
【符号の説明】
【００２４】
１    パッド本体
２    透水性シート
２ａ  長辺
２ｂ  短辺
３    袋  
３ａ  短辺側の上部
３ｂ  長辺側の上部縁
４    金属線
５    貼着シール
Ｘ    下着
Ｙ    陰茎